(57)【要約】【課題】短期間かつ低コストに設置することのできるアンテナ支持架台及びその設置方法を提供する。【解決手段】アンテナ支持架台１００は、かご１０の内部に押付部材１１４ａ、１１６ａによって固定支持される基礎桁１１０と、底部が基礎桁１１０に取りつけられて、かご１０に立設される支持柱１２０と、かご１０の上端部に固定されて、支持柱１２０を挟持する振止部材１３０と、を備える。【選択図】図１
2015172303.tif 000002
【特許請求の範囲】
【請求項１】
かごの内部に押付部材によって固定支持される基礎桁と、
底部が前記基礎桁に取りつけられて、前記かごに立設される支持柱と、
前記かごの上端部に固定されて、前記支持柱を挟持する振止部材と、
を備えるアンテナ支持架台。
【請求項２】
前記かごは、高所作業車に備えられる、
ことを特徴とする請求項１に記載のアンテナ支持架台。
【請求項３】
かごの内部に押付部材によって基礎桁を固定支持する工程と、
支持柱の底部を前記基礎桁に取りつけて、当該支持柱を前記かごに立設する工程と、
振止部材を前記かごの上端部に固定して、前記支持柱を挟持する工程と、
を含むアンテナ支持架台の設置方法。
【請求項４】
前記かごは、高所作業車に備えられる、
ことを特徴とする請求項３に記載の設置方法。
【発明の詳細な説明】
【技術分野】
【０００１】
本発明は、アンテナ支持架台及びその設置方法に関する。
【背景技術】
【０００２】
人が多く集まる屋外のイベント会場等で携帯電話用アンテナを設置するなど、仮設のアンテナを短期間、設置する場合がある。
【０００３】
良好な通信状態を確保するために高所にアンテナ等を設置する場合、鉄塔などの塔状構造物を構築し、それにアンテナ等を取りつける方法等がとられている。
【０００４】
このような塔状構造物を設置する方法がいくつか提案されている。
【０００５】
特許文献１には、鉄塔の立設を所望する箇所に開設された縦穴に挿入された鋼製基礎枠と、鋼製基礎枠に垂直に挿入された主柱と、縦穴と鋼製基礎枠及び鋼製基礎枠と主柱とを固定する砂、コンクリートなどの固定手段から構成されている鉄塔が開示されている。
【０００６】
特許文献２には、設置面に着脱自在に立設された支柱の施工方法であって、開閉自在の蓋が上端に軸支されたサヤ管が設置面に埋め込まれると共に、支柱の底面からボルトが突設され、該ボルトが、上部に雌ネジ部が形成された挿入体の前記雌ネジ部に螺入されて、前記支柱の底面に挿入体が取付けられ、前記挿入体を前記サヤ管に挿入することにより、支柱を設置面に立設するようにしたことを特徴とする支柱の施工方法が開示されている。
【先行技術文献】
【特許文献】
【０００７】
【特許文献１】特開２００１−２３４６４６号公報
【特許文献２】特開２０１１−２４１６７１号公報
【発明の概要】
【発明が解決しようとする課題】
【０００８】
しかしながら、特許文献１に記載の鉄塔を設置する場合、地面に縦穴を掘る必要があり、時間及びコストを要する。また、特許文献２に記載の支柱の施工方法では、支柱の交換作業を効率的に行うことができるものの、サヤ管を設置面（地面）に埋め込む必要があり、同様に時間及びコストを要する。
【０００９】
本発明は、上記事情に鑑みてなされたものであり、短期間かつ低コストに設置することのできるアンテナ支持架台及びその設置方法を提供することを目的とする。
【課題を解決するための手段】
【００１０】
上記目的を達成するため、本発明の第１の観点に係るアンテナ支持架台は、
かごの内部に押付部材によって固定支持される基礎桁と、
底部が前記基礎桁に取りつけられて、前記かごに立設される支持柱と、
前記かごの上端部に固定されて、前記支持柱を挟持する振止部材と、
を備える。
【００１１】
前記かごは、例えば、高所作業車に備えられる。
【００１２】
本発明の第２の観点に係るアンテナ支持架台の設置方法は、
かごの内部に押付部材によって基礎桁を固定支持する工程と、
支持柱の底部を前記基礎桁に取りつけて、当該支持柱を前記かごに立設する工程と、
振止部材を前記かごの上端部に固定して、前記支持柱を挟持する工程と、
を含む。
【００１３】
前記かごは、例えば、高所作業車に備えられる。
【発明の効果】
【００１４】
本発明によれば、短期間かつ低コストに設置することのできるアンテナ支持架台及びその設置方法を提供することができる。
【図面の簡単な説明】
【００１５】
【図１】本発明の一実施形態であるアンテナ支持架台を、かごに取りつけた状態を模式的に表した斜視図である。
【図２】かごにアンテナ支持架台を取りつけた状態を模式的に表した側面図である。
【図３】（ａ）は、振止部材の支持柱固定クランプで支持柱を固定した状態を模式的に表した平面図であり、（ｂ）は、振止部材の手すり固定クランプによる手すりへの固定状態を模式的に表した側面図である。
【発明を実施するための形態】
【００１６】
以下、本発明の実施形態について詳細に説明する。まず、本発明の実施形態に係るアンテナ支持架台１００を、図面を参照して説明する。
【００１７】
図１に示すように、本発明の実施形態に係るアンテナ支持架台１００は、高所作業車に備えられたかご１０の内部に固定支持される基礎桁１１０と、底部が基礎桁１１０に取りつけられてかご１０に立設される支持柱１２０と、かご１０の上端部の手すり１６に固定されて支持柱１２０を挟持する振止部材１３０と、を備える。
【００１８】
本発明の実施形態に係るアンテナ支持架台１００は、高所にアンテナ２を短期間設置するために、高所作業車（図示せず）のブーム１の先端に取り付けられたかご１０内で組み立てられる。かご１０は、高所作業車のブーム操作により上昇し、アンテナ支持架台１００を所定の高さに引き上げることができる。アンテナ２は、アンテナ支持架台１００の支持柱１２０の上部にアタッチメント３を介して取りつけられている。
【００１９】
基礎桁１１０は、図１に示すように、かご１０の内部の底面１４に固定され、支持柱１２０を支持する役割を果たす。基礎桁１１０は、図１、図２に示すように、２本の主桁１１２と、主桁１１２に直交して掛け渡された２本の長辺方向支持材１１４と、同様に長辺方向支持材１１４の内側で主桁１１２に掛け渡された２本の短辺方向支持材１１６と、を備える。
【００２０】
主桁１１２は、Ｃ形鋼からなり、長辺方向支持材１１４と短辺方向支持材１１６とを固定支持する部材であり、かご１０の内部の底面１４に接触している。主桁１１２の上面の両端近傍には、長辺方向支持材１１４が固定され、その内側に短辺方向支持材１１６が固定されている。そのさらに内側には、ボルト１２６を通す１対の孔（図示せず）が形成され、支持柱１２０のベースプレート１２８が固定されるようになっている。
【００２１】
長辺方向支持材１１４は、図１、図２に示すように、Ｌ形鋼からなり、ボルト１１４ｃを介して、主桁１１２と直交して主桁１１２の上面の両端近傍に固定されている。長辺方向支持材１１４の両端部近傍には、ボルト１１４ｂを介して押付部材１１４ａが備えられている。押付部材１１４ａは、アンテナ支持架台１００の長辺方向をかご１０内で固定支持させる部材であり、ボルト１１４ｂをねじ込むことで外側方向に動き、かご１０の内側面１２に接触し、アンテナ支持架台１００の長辺方向が固定される。
【００２２】
短辺方向支持材１１６は、Ｌ形鋼からなり、ボルト１１６ｃを介して、主桁１１２と直交して主桁１１２の上面に固定されている。短辺方向支持材１１６の両端には、ボルト１１６ｂを介して押付部材１１６ａが備えられている。押付部材１１６ａは、アンテナ支持架台１００の短辺方向をかご１０内で固定支持させる部材であり、ボルト１１６ｂをねじ込むことで外側方向に動き、かご１０の内側面１２に接触し、アンテナ支持架台１００の短辺方向が固定される。
【００２３】
このように、長辺方向支持材１１４に備えられた押付部材１１４ａと、短辺方向支持材１１６に備えられた押付部材１１６ａによって、基礎桁１１０は、かご１０の内面の長辺及び短辺の四方向に２箇所づつ固定され、かご１０内で強固に固定される。
【００２４】
支持柱１２０は、アンテナ２を支持する部材であり、図１、図２に示すように、２本の主桁１１２に４つのボルト１２６を介して取りつけられた矩形状のベースプレート１２８と、ベースプレート１２８の略中央部に溶接された円柱形状の支柱１２４と、支柱１２４の下端とベースプレート１２８に溶接された４枚のリブプレート１２２と、を備える。支持柱１２０の底部に設けられたベースプレート１２８が、基礎桁１１０の主桁１１２を介してかご１０の内部の底面１４に固定されることで、支持柱１２０は、かご１０の内側から上方に向かって安定的に立設される。
【００２５】
振止部材１３０は、支持柱１２０を鉛直状に立設した状態を維持させる部材である。振止部材１３０は、図１、図３に示すように、かご１０の長辺方向の手すり１６に直交して掛け渡された２本の支持梁１３２と、支持梁１３２の略中央部にボルト１３２ａを介して取り付けられる１対の支持柱固定クランプ１３６と、支持梁１３２の両端部近傍にボルト１３２ｂを介して取り付けられる４個の手すり固定クランプ１３４と、を備える。
【００２６】
支持梁１３２は、Ｌ形鋼からなり、その両端部近傍には、ボルト１３２ａを通すための４つの孔（図示せず）が形成されており、略中央部近傍には、ボルト１３２ｂを通すための２つの孔（図示せず）が形成されている。
【００２７】
支持柱固定クランプ１３６は、支持柱１２０の支柱１２４を挟持するための半円形状の挟持部１３６ａと、１対の支持柱固定クランプ１３６同士を固定するためのフランジ１３６ｅと、支持梁１３２に固定するためのプレート１３６ｂと、プレート１３６ｂと挟持部１３６ａとを連結するためのリブプレート１３６ｃと、を備える。フランジ１３６ｅには、ボルト１３６ｄを通すための孔（図示せず）が形成されており、１対の支持柱固定クランプ１３６は、挟持部１３６ａが支柱１２４を挟み込んだ状態で、ボルト１３６ｄを介して固定されている（図３（ａ））。プレート１３６ｂには、ボルト１３２ａを通すための２つの孔（図示せず）が形成されており、支持梁１３２はボルト１３２ａを介してプレート１３６ｂに固定されている。リブプレート１３６ｃの上端部はプレート１３６ｂの底面に溶接されており、リブプレート１３６ｃの側端部は挟持部１３６ａの半円形状の外側の略中央部に溶接されている。
【００２８】
手すり固定クランプ１３４は、矩形状の部材であり、ボルト１３２ｂを通すための２つの孔（図示せず）が形成されている。手すり固定クランプ１３４と支持梁１３２との間に、かご１０の上端部の手すり１６を挟み込んで（図３（ｂ））、ボルト１３２ｂをねじ込むことで、手すり１６に振止部材１３０を固定する。
【００２９】
なお、本実施形態のアンテナ支持架台１００の各部材の材質は、ステンレス鋼であるが、所定強度を確保可能なアルミニウムや、塗装した普通鋼等を用いてもよい。
【００３０】
次に、本発明の実施形態に係るアンテナ支持架台１００の設置方法を、図面を参照して説明する。
【００３１】
本発明の実施形態に係るアンテナ支持架台１００の設置方法は、
（Ａ）かご１０の内部に基礎桁１１０を固定支持する工程と、
（Ｂ）支持柱１２０の底部を基礎桁１１０に取りつけて、支持柱１２０をかご１０に立設する工程と、
（Ｃ）振止部材１３０をかご１０の上端部に固定して、支持柱１２０を挟持する工程と、
を含む。
【００３２】
上記工程（Ａ）について説明する。工程（Ａ）では、かご１０の内部の底面１４に基礎桁１１０を固定支持する。基礎桁１１０は、長辺方向支持材１１４に備えられた押付部材１１４ａと、短辺方向支持材１１６に備えられた押付部材１１６ａによって、かご１０の内面の長辺及び短辺の四方向に２箇所づつ固定され、かご１０内で強固に固定される。基礎桁１１０の詳細、固定方法等については、前述と同様である。
【００３３】
次に、上記工程（Ｂ）について説明する。工程（Ｂ）では、支持柱１２０の底部を基礎桁１１０に取りつけて、支持柱１２０をかご１０に立設する。支持柱１２０の詳細、固定方法等については、前述と同様である。
【００３４】
次に、上記工程（Ｃ）について説明する。工程（Ｃ）では、振止部材１３０をかご１０の上端部の手すり１６に固定して、支持柱１２０を挟持する。振止部材１３０の詳細、手すり１６への固定方法、支持柱１２０の挟持方法等については、前述と同様である。
【００３５】
本実施形態における設置方法では、高所にアンテナ２を短期間設置するために、前述同様に、高所作業車（図示せず）のブーム１の先端に取りつけられたかご１０内でアンテナ支持架台１００を組み立て、高所作業車のブーム操作により引き上げる。アンテナ２は、アンテナ支持架台１００の支持柱１２０の上部にアタッチメント３を介して取りつけられている。
【００３６】
以上説明したように、本発明の実施形態に係るアンテナ支持架台１００によれば、高所での一時的なアンテナ設置を、かご１０にアンテナ支持架台１００を設置し、支持柱１２０にアンテナ２を取りつけ、かご１０を高所作業車で高所に引き上げることで、簡便に行うことができる。従来、アンテナを高所に一時的に設置する場合、地面に基礎を埋設し、塔状構造物を立設して、アンテナを取りつける必要があったため、設置に時間を要し、コストもかかっていた。一方、本発明の実施形態に係るアンテナ支持架台１００では、短期間かつ低コストで、高所での一時的なアンテナ設置を行うことができる。
【００３７】
また、本発明の実施形態に係るアンテナ支持架台１００では、基礎桁１１０が押付部材１１４ａ及び押付部材１１６ａによってかご１０の内面の四方向に強固に固定されている。また、支持柱１２０のベースプレート１２８は、４つのボルト１２６を介して基礎桁１１０に強固に固定されている。さらに、手すり１６に固定された振止部材１３０は、挟持部１３６ａによって強固に支持柱１２０を挟持している。このように、支持柱１２０は鉛直状に立設した状態でかご１０に強固かつ安定的に固定されるため、アンテナ支持架台１００を強風時でも高所で安全に用いることができる。
【００３８】
また、本発明の実施形態に係るアンテナ支持架台１００は、使用後、簡便に分解することができ、高所での一時的なアンテナ設置が必要な場合、再使用が可能である。このように、各部材の再使用が可能であるため、設置コストを低減させることができる。
【００３９】
また、本発明の実施形態に係るアンテナ支持架台１００は、押付部材１１４ａ及び押付部材１１６ａによってかご１０の内面に基礎桁１１０を固定支持するため、寸法の異なる各種のかご、作業台等に対応可能である。
【００４０】
なお、この発明は上記実施の形態に限定されず、種々の変形及び応用が可能である。例えば、本実施形態においては、支持柱１２０にアンテナ２を取りつける形態について説明したが、例えば、防災無線、スピーカー、カメラ、照明、避雷針等を取りつけてもよい。短期間に高所に設置するものであれば適宜取りつけることができる。
【００４１】
また、本実施形態においては、図１に示したように、かご１０の底面１４の略中央部に支持柱１２０を立設させる形態について説明したが、例えば、かご１０の中に操作盤が備えられおり、略中央部に支持柱１２０を立設させることができない場合等では、例えば、主桁１１２の上面に長孔を形成し、ボルト１２６を通す位置を調節して、かご１０の底面１４の略中央部からずらして支持柱１２０を立設させてもよい。
【００４２】
また、本実施形態においては、図１に示したように、押付部材１１４ａ及び押付部材１１６ａによってかご１０の内面に基礎桁１１０を固定支持させる形態について説明したが、かご１０の内面に基礎桁１１０を固定支持できる機構であれば適宜採用することができ、例えば、伸縮可能な突っ張り棒を用いてもよい。
【００４３】
また、本実施形態においては、図１に示したように、支持柱１２０のベースプレート１２８が４つのボルト１２６を介して基礎桁１１０に固定される形態について説明したが、支持柱１２０の長さ、支持柱１２０に取りつけられる物の重量、ベースプレート１２８の大きさ等に鑑み、ボルト１２６による固定箇所を６箇所又はそれ以上としてもよい。
【００４４】
また、本実施形態においては、図１に示したように、合計４個の押付部材１１６ａによってかご１０の内面に基礎桁１１０を固定する形態について説明したが、かごの大きさ、設置時の風速等に鑑み、押付部材１１６ａを合計６個又はそれ以上設けてもよい。押付部材１１４ａについても同様に、合計６個又はそれ以上設けてもよい。
【００４５】
また、本実施形態においては、図１に示したように、振止部材１３０の支持梁１３２をかご１０の長辺方向のみの手すり１６に直交させて掛け渡して、手すり１６の一方向に取りつける形態について説明したが、かごの大きさ、設置時の風速等に鑑み、例えば、振止部材１３０を長辺方向及び短辺方向の両方の手すり１６に直交させて十字状に掛け渡して、手すり１６の二方向に取りつけてもよい。
【００４６】
また、本実施形態においては、かご１０を昇降させる方式として高所作業車によるブーム式の形態について説明したが、昇降方式としては垂直昇降式等、また、走行方式としてはトラック搭載式、自走式等、アンテナの設置場所等に応じて適宜選択される。
【符号の説明】
【００４７】
１０  かご
１２  内側面
１４  底面
１６  手すり
１００  アンテナ支持架台
１１０  基礎桁
１１２  主桁
１１４  長辺方向支持材
１１４ａ  押付部材
１１４ｂ  ボルト
１１４ｃ  ボルト
１１６  短辺方向支持材
１１６ａ  押付部材
１１６ｂ  ボルト
１１６ｃ  ボルト
１２０  支持柱
１２２  リブプレート
１２４  支柱
１２６  ボルト
１２８  ベースプレート
１３０  振止部材
１３２  支持梁
１３２ａ  ボルト
１３２ｂ  ボルト
１３４  手すり固定クランプ
１３６  支持柱固定クランプ
１３６ａ  挟持部
１３６ｂ  プレート
１３６ｃ  リブプレート
１３６ｄ  ボルト
１３６ｅ  フランジ
【図１】
2015172303.tif 000003
【図２】
2015172303.tif 000004
【図３】
2015172303.tif 000005